(57)【要約】【課題】記録媒体を搬送する際に記録媒体の両側端部の跳ね上がりを防止することができる記録媒体搬送装置及びこの記録媒体搬送装置を備えた記録装置を提供すること。【解決手段】記録媒体の両側端部が通過する記録媒体搬送面１２２の部位は、前記記録媒体の両側端部が垂れ下がることが可能な構造１２６Ｒ、１２６Ｌに形成されている。これにより、記録媒体の両側端部は、垂れ下がった後はその状態が維持されて搬送されるので、従来のように両側端部に対応するディンプル（吸引室）の外側に形成されている仕切壁上に乗ることは無く、その両側端部に対応するディンプル内の穴（吸引孔）の吸引力によって跳ね上げられることも無くなるため、記録へッドとの接触による汚染を防止することができる。【選択図】      図２
2004268416.tif 000002
【特許請求の範囲】
【請求項１】
記録媒体搬送面上に供給される記録媒体を吸着しつつ搬送する記録媒体搬送装置であって、
前記記録媒体の両側端部が通過する前記記録媒体搬送面の部位は、前記記録媒体の両側端部が垂れ下がることが可能な構造に形成されていることを特徴とする記録媒体搬送装置。
【請求項２】
前記記録媒体搬送面の部位は、段状面が形成されていることを特徴とする請求項１に記載の記録媒体搬送装置。
【請求項３】
前記記録媒体搬送面の部位は、傾斜面が形成されていることを特徴とする請求項１に記載の記録媒体搬送装置。
【請求項４】
前記記録媒体搬送面の部位は、前記記録媒体の各サイズに対応して複数形成されていることを特徴とする請求項１〜３の何れか一項に記載の記録媒体搬送装置。
【請求項５】
前記記録媒体搬送面の部位には、記録材を受ける受け部が形成されていることを特徴とする請求項１〜４の何れか一項に記載の記録媒体搬送装置。
【請求項６】
請求項１〜５の何れか一項に記載の機能を有する被噴射材搬送装置を備えたことを特徴とする液体噴射装置。
【請求項７】
請求項１〜６の何れか一項に記載の搬送装置を備えたことを特徴とする記録装置。
【発明の詳細な説明】
【０００１】
【発明の属する技術分野】
本発明は、記録媒体を搬送する記録媒体搬送装置及びこの記録媒体搬送装置を備えた記録装置に関する。
【０００２】
【従来の技術】
従来より、記録装置の１つである例えばインクジェット式プリンタにおいては、記録媒体の１つである例えば用紙を用紙搬送装置により記録部に送り込みつつ記録して外部に送り出す構成のものがある。かかるインクジェット式プリンタにおいては、用紙を紙送りローラ及びその従動ローラで挟持して送りつつ記録ヘッドで記録し、排紙ローラ及びその従動ローラとしての拍車ローラで挟持して送って排出するようになっている。
【０００３】
このような用紙搬送装置を備えるインクジェット式プリンタでは、用紙に例えばベタ画像等のように多数のインク滴が吐出される画像が記録される場合には、用紙が多量のインクを吸収して、記録後に記録ヘッド側に波状に膨らむ、いわゆるコックリングが発生する場合がある。そして、このコックリングが発生して発達すると、用紙と記録ヘッドとの間隔が不均一になり、インク滴の飛翔距離がばらつくことにより記録むらが生じ、あるいは、用紙が記録へッドに接触して汚れてしまう不具合がある。そこで、近年、用紙搬送面に用紙搬送方向及びそれと直交する方向に一定ピッチで複数の穴、すなわち格子状に複数の穴を穿孔し、これらの穴を介して吸引ポンプ等で用紙を吸引して上述したコックリングを抑制するインクジェット式プリンタが提案されている（特許文献１、２参照）。
【０００４】
【特許文献１】
特開昭６３−３０３７８１号公報
【特許文献２】
特開平３−２７０号公報
【０００５】
【発明が解決しようとする課題】
上述した従来の吸引式の用紙搬送装置を備えるインクジェット式プリンタには、負圧×面積で規定される吸引力を高めるために各穴の周りにディンプルが形成されているものがある。各ディンプルは各穴に対応して格子状に形成されているため、用紙搬送方向と直交する方向の用紙の両端部、すなわち用紙の両側端部は、その両側端部に対応するディンプルの外側に形成されている仕切壁上に乗ることになる。このため、用紙の両側端部は、その両側端部に対応するディンプル内の穴の吸引力によって跳ね上がり易くなり、記録へッドに接触して汚れてしまうおそれがある。
【０００６】
本発明は、上記のような種々の課題に鑑みなされたものであり、その目的は、記録媒体を搬送する際に記録媒体の両側端部の跳ね上がりを防止することができる記録媒体搬送装置及びこの記録媒体搬送装置を備えた記録装置を提供することにある。
【０００７】
【課題を解決するための手段】
上記目的達成のため、本発明に係る記録媒体搬送装置では、記録媒体搬送面上に供給される記録媒体を吸着しつつ搬送する記録媒体搬送装置であって、前記記録媒体の両側端部が通過する前記記録媒体搬送面の部位は、前記記録媒体の両側端部が垂れ下がることが可能な構造に形成されていることを特徴としている。これにより、記録媒体の両側端部は、垂れ下がった後はその状態が維持されて搬送されるので、従来のように両側端部に対応するディンプル（吸引室）の外側に形成されている仕切壁上に乗ることは無く、その両側端部に対応するディンプル内の穴（吸引孔）の吸引力によって跳ね上げられることも無くなるため、記録へッドとの接触による汚染を防止することができる。
【０００８】
前記記録媒体搬送面の部位は、段状面が形成されていることを特徴としている。また、前記記録媒体搬送面の部位は、傾斜面が形成されていることを特徴としている。これにより、記録媒体の両側端部は、確実に垂れ下がることができる。前記記録媒体搬送面の部位は、前記記録媒体の各サイズに対応して複数形成されていることを特徴としている。これにより、各サイズの記録媒体において記録へッドとの接触による汚染を防止することができる。前記記録媒体搬送面の部位には、記録材を受ける受け部が形成されていることを特徴としている。これにより、いわゆる縁無し記録に対応することができる。
【０００９】
上記目的達成のため、本発明の液体噴射装置では、上記各機能を有する被噴射材搬送装置を備えたことを特徴としている。これにより、上述した各作用効果を奏する液体噴射装置を提供することができる。上記目的達成のため、本発明の記録装置では、上記各搬送装置を備えたことを特徴としている。これにより、上述した各作用効果を奏する記録装置を提供することができる。
【００１０】
【発明の実施の形態】
図１は、本発明の実施形態に係る記録媒体搬送装置を示す側面図である。この記録媒体搬送装置１００は、記録時に記録媒体を吸引保持する吸引ユニット１１０と、吸引ユニット１１０の上流側から下流側へ記録媒体を搬送する記録媒体搬送手段１５０とを備えている。上記吸引ユニット１１０は、記録媒体に記録するための記録へッド２３１に対して、記録媒体搬送路Ｌを挟んで下側に配置されている。そして、上段の吸引部１２０と下段の吸引力発生部１３０から成る上下２段構成の中空箱状に形成されている。
【００１１】
吸引部１２０は、内部に形成された減圧室１２１と、記録媒体搬送面１２２に記録媒体の搬送方向に長い長方形状の凹みとして形成された複数の吸引室１２３と、これら吸引室１２３をそれぞれ減圧室１２１と連通させるべく、上下方向に伸長する上記吸引室１２３より小さい円形の断面積を有する複数の吸引孔１２４とを有している。
【００１２】
吸引力発生部１３０は、吸引部１２０の減圧室１２１と連通孔１３１を介して連通されており、内部に遠心ファンを備えたポンプ１３２を有している。ポンプ１３２は、減圧室１２１の下方の所定位置に連通孔１３１を介して減圧室１２１と連通した状態で取り付けられており、遠心ファンが記録時に回転するようになっている。
【００１３】
記録媒体搬送手段１５０は、記録媒体を記録へッド２３１と吸引ユニット１１０の間に送り込む送りローラ１５１と、この送りローラ１５１に対して上方から圧接される従動ローラ１５２と、記録媒体を外部へ排出する排出ローラ１５３と、この排出ローラ１５３に対して上方から接触される拍車ローラ１５４を備えている。尚、吸引ユニット１１０を排出方向へ移動可能な構成とすること等により、排出ローラ１５３と拍車ローラ１５４を設けないことも可能である。
【００１４】
図２（Ａ）、（Ｂ）は、上記吸引部１２０を示す平面図及びＡ−Ａ線断面側面図である。吸引室１２３は、短辺が所定長さであって長辺が記録媒体搬送面１２２の上流端近傍から下流端近傍に至る長さとなるように形成されている。すなわち、各吸引室１２３は、記録媒体の搬送方向には連通して延び、記録媒体の搬送方向と直交する方向には仕切壁１２５を挟んで並ぶように形成されている。吸引孔１２４は、吸引室１２３の底面において記録媒体の搬送方向に所定ピッチで形成されている。すなわち、吸引孔１２４は、吸引室１２３毎に１列形成されている。
【００１５】
さらに、本発明の特徴的な部分として、記録媒体の搬送方向と直交する方向の記録媒体の両端部、すなわち記録媒体の両側端部が通過する記録媒体搬送面１２２の部位には、記録媒体の両側端部が垂れ下がって逃げることが可能な逃げ部１２６Ｒ、１２６Ｌが形成されている。この逃げ部１２６Ｒ、１２６Ｌは、記録媒体の両側端部が垂れ下がって逃げることが可能なように、記録媒体搬送面１２２よりも低い面、例えば段状の面が形成されていれば良い。
【００１６】
図２に示す例は段状面の逃げ部１２６Ｒ、１２６Ｌであり、記録媒体の右側端部に対応する図示右側端の吸引室１２３Ｒの右側にあった仕切壁１２５を廃し、吸引室１２３Ｒの凹みを記録媒体搬送面１２２の図示右側端までそのまま延長した逃げ部１２６Ｒと、記録媒体の左側端部に対応する図示左側端の吸引室１２３Ｌの左側にあった仕切壁１２５を廃し、吸引室１２３Ｌの凹みをその左隣に存在していた吸引室１２３までそのまま延長した逃げ部１２６Ｌが形成されている。
【００１７】
ここで、記録媒体の両側端部は、逃げ部１２６Ｒ、１２６Ｌ内で垂れ下がった状態となるので、逃げ部１２６Ｒ、１２６Ｌの一部分しか覆っていないことになる。このため、吸引力の低下による記録媒体の吸着搬送不良が懸念される。しかし、記録媒体の両側端部の下面には、その両側端部に対応する吸引室１２３Ｒ、１２３Ｌの吸引孔１２４Ｒ、１２４Ｌにより記録媒体の両側端部の下面と吸引室１２３Ｒ、１２３Ｌの底面との間を通る気流が引き起こす動圧損失と、吸引孔１２４Ｒ、１２４Ｌそのものの動圧損失とによる負圧が発生するので、記録媒体の両側端部を安定的に吸引して搬送することが可能となる。
【００１８】
これにより、図３（Ａ）に示すように、記録媒体Ｐの両側端部ＰＲ、ＰＬは、垂れ下がった後はその状態が維持されて搬送されることになるので、従来技術で述べたように両側端部に対応するディンプル（吸引室）の外側に形成されている仕切壁上に乗ることは無く、その両側端部に対応するディンプル内の穴（吸引孔）の吸引力によって跳ね上げられることも無くなるため、記録へッド２３１との接触による汚染を防止することができる。
【００１９】
また、逃げ部１２６Ｒ、１２６Ｌとして段状面を例に説明したが、記録媒体の両側端部が垂れ下がって逃げることが可能なように記録媒体搬送面１２２よりも低い面であれば良く、例えば傾斜面でも良い。図３（Ｂ）に示す例は傾斜面の逃げ部１２７Ｒ、１２７Ｌであり、記録媒体の右側端部に対応する図示右側端の吸引室１２３Ｒの右側にあった仕切壁１２５を廃し、吸引室１２３Ｒの底面を傾斜させて記録媒体搬送面１２２の図示右側端までそのまま延長した逃げ部１２７Ｒと、記録媒体の左側端部に対応する図示左側端の吸引室１２３Ｌの左側にあった仕切壁１２５を廃し、吸引室１２３Ｌの底面を傾斜させてその左隣に存在していた吸引室１２３までそのまま延長した逃げ部１２７Ｌが形成されている。
【００２０】
この場合も、記録媒体の両側端部は、逃げ部１２７Ｒ、１２７Ｌ内で垂れ下がった状態となるので、逃げ部１２７Ｒ、１２７Ｌの一部分しか覆っておらず、吸引力の低下による記録媒体の吸着搬送不良が懸念される。しかし、記録媒体の両側端部の下面には、その両側端部に対応する吸引室１２３Ｒ、１２３Ｌの吸引孔１２４Ｒ、１２４Ｌにより記録媒体の両側端部の下面と吸引室１２３Ｒ、１２３Ｌの底面との間を通る気流が引き起こす動圧損失と、吸引孔１２４Ｒ、１２４Ｌそのものの動圧損失とによる負圧が発生するので、記録媒体の両側端部を安定的に吸引して搬送することが可能となる。さらに、傾斜面の逃げ部１２７Ｒ、１２７Ｌと記録媒体の両側端部との間隔は、段状面の逃げ部１２６Ｒ、１２６Ｌよりも広くなるので、記録媒体の両側端部が大きく垂れ下がっても接触を回避することができる。したがって、記録媒体の両側端部をより安定的に吸引して搬送することが可能となる。
【００２１】
これにより、図３（Ｂ）に示すように、記録媒体Ｐの両側端部ＰＲ、ＰＬは、垂れ下がった後はその状態が維持されて搬送されることになるので、従来技術で述べたように両側端部に対応するディンプル（吸引室）の外側に形成されている仕切壁上に乗ることは無く、その両側端部に対応するディンプル内の穴（吸引孔）の吸引力によって跳ね上げられることも無くなるため、記録へッド２３１との接触による汚染をより防止することができる。なお、図３（Ｃ）に示すように、逃げ部１２６Ｒ、１２６Ｌの部位に吐出されたインク滴を受けて吸収するスポンジ等のインク吸収材１２８が埋設されたインク受け部１２９を配設しても良い。これにより、記録媒体の全面に記録可能な、いわゆる縁無し記録に対応することができる。
【００２２】
以上のように、吸引穴を吸引孔１２４と吸引室１２３で構成し、さらに吸引孔１２４を小径の貫通孔により形成することで、ポンプ１３２の特性に対して利用できる負圧の利用率を高めると共に、吸引室１２３を吸引孔１２４より面積の大きい略矩形の凹みとして形成することで、記録媒体に対して大きな吸引力を発生できるようになっている。さらに、記録媒体の両側端部に対応する吸引室１２３Ｒ、１２３Ｌの外側にあった仕切壁１２５を廃して逃げ部１２６Ｒ、１２６Ｌ、１２７Ｒ、１２７Ｌを形成しているので、記録媒体の両側端部は、吸引室１２３Ｒ、１２３Ｌ内で垂れ下がった後はその状態が維持されて搬送される。したがって、従来のように記録媒体の両側端部が跳ね上げられることは無くなるため、記録へッド２３１との接触による汚染をより防止することができる。
【００２３】
このような構成の記録媒体搬送装置１００は、以下のように動作する。送りローラ１５１等が回転駆動して、記録媒体を記録ヘッド２３１と吸引ユニット１１０との間に送り込む。一方、ポンプ１３２が駆動して、吸引力を連通孔１３１及び減圧室１２１を介して吸引孔１２４と吸引室１２３に作用させる。これにより、記録媒体は、記録媒体搬送面１２２に吸引吸着された状態で搬送される。同時に、記録へッド２３１が、記録媒体の上方を主走査方向に移動しながら記録媒体に対してインク粒を吐出して記録を行う。
【００２４】
このとき、記録媒体の両側端部は、吸引室１２３Ｒ、１２３Ｌ内で垂れ下がった後はその状態が維持されて搬送されることになる。したがって、記録媒体の両側端部が跳ね上がって記録へッド２３１に接触することによる汚染を防止することができる。そして、排出ローラ１５３等が回転駆動して、記録が終了した記録媒体を外部へ排出する。
【００２５】
図４は、上記記録媒体搬送装置１００を備えた記録装置としてのインクジェット式プリンタを示す斜視図、図５〜図７は、その主要部を示す平面図、正面図及び側面図である。このインクジェット式プリンタ２００は、プリンタ本体２１０の後方上部に斜めに取り付けられた自動給紙（ＡＳＦ）ユニット２２０と、プリンタ本体２１０に内蔵された記録部２３０及び記録媒体搬送装置１００を備えている。記録媒体としては、インクジェット式プリンタ２００の専用紙、普通紙の他、ＯＨＰフィルム、トレーシングペーパ一、ハガキ等各種のものを用いることができる。
【００２６】
ＡＳＦユニット２２０は、用紙１を収容するトレイ２２１と、このトレイ２２１から用紙１を引き出して供給する給紙ローラ２２２等を備えている。記録部２３０は、記録ヘッド２３１及びインクカートリッジ２３２が搭載されたキャリッジ２３３と、このキャリッジ２３３を主走査方向に配設されたガイド軸２３４に沿って移動させるＤＣモータ２３５等を備えている。記録ヘッド２３１は、例えばシアン、マゼンタ、イエロー、ライトシアン、ライトマゼンタ、ライトイエロー、ブラックの各色毎に、例えば９６個等複数のノズルから成るノズル列を有している。
【００２７】
記録媒体搬送装置１００は、記録時に記録媒体を吸引保持する上段の吸引部１２０と下段の吸引力発生部１３０から成る吸引ユニット１１０と、吸引ユニット１１０の上流側から下流側へ記録媒体を搬送する記録媒体搬送手段１５０とを備えている。吸引部１２０は、内部に形成された減圧室１２１と、記録媒体搬送面１２２に記録媒体の搬送方向に長い長方形状の凹みとして形成された複数の吸引室１２３と、これら吸引室１２３をそれぞれ減圧室１２１と連通させる複数の吸引孔１２４とを有している。
【００２８】
そして、記録媒体の搬送方向と直交する方向の記録媒体の両端部、すなわち記録媒体の両側端部が通過する記録媒体搬送面１２２の部位には、記録媒体の両側端部が垂れ下がって逃げることが可能な段状の面でなる逃げ部１２６Ｒ、１２６Ｌが形成されている。これらの逃げ部１２６Ｒ、１２６Ｌは、記録媒体の各サイズ、例えばＪＩＳのＢ５サイズ、Ａ４サイズ、Ｂ４サイズに対応して複数形成されている。これにより、各サイズの記録媒体において記録へッド２３１との接触による汚染を防止することができる。
【００２９】
吸引力発生部１３０は、吸引部１２０の減圧室１２１と連通孔１３１を介して連通されており、内部に遠心ファンを備えたポンプ１３２を有している。ポンプ１３２は、減圧室１２１の下方の所定位置に連通孔１３１を介して減圧室１２１と連通した状態で取り付けられており、遠心ファンが記録時に回転するようになっている。
【００３０】
記録媒体搬送手段１５０は、記録媒体を記録へッド２３１と吸引ユニット１１０の間に送り込む送りローラ１５１と、この送りローラ１５１に対して上方から圧接される従動ローラ１５２とを有している。なお、この実施形態では、記録媒体を外部へ排出する排出ローラ１５３と、この排出ローラ１５３に対して上方から接触される拍車ローラ１５４とが不要な、排出方向へ移動可能な吸引ユニット１１０を有するインクジェット式プリンタ２００としているが、排出ローラ１５３と拍車ローラ１５４を有するインクジェット式プリンタとしても良い。
【００３１】
このような構成のインクジェット式プリンタ２００は、以下のように動作する。図示しないホストコンピュータ等によりトレイ２２１に収容されている用紙１に対する記録命令が入力されると、給紙ローラ２２２が回転駆動して、トレイ２２１に収容されている用紙１を１枚ずつピックアップして給紙する。さらに、送りローラ１５２等が回転駆動して、用紙１を記録ヘッド２３１と吸引ユニット１１０との間に送り込む。
【００３２】
一方、ポンプ１３２が駆動して、吸引力を連通孔１３１及び減圧室１２１を介して吸引孔１２４と吸引室１２３に作用させる。そして、用紙１を記録媒体搬送面１２５に吸引吸着した状態で搬送する。これと同時に、ＤＣモータ２３５が駆動して、タイミングベルトを介してキャリッジ２３３をガイド軸２３４に沿って移動させる。このとき、記録へッド２３１は、インクカートリッジ２３２から各色毎に供給されるインクを記録データに応じて複数のノズルの全部又は一部から微小なインク滴として用紙１上に吐出して記録する。記録媒体の両側端部は、吸引室１２３Ｒ、１２３Ｌ内で垂れ下がった後はその状態が維持されて搬送されることになるので、記録媒体の両側端部が跳ね上がって記録へッド２３１に接触することによる汚染を防止することができる。そして、排出ローラ１５３等が回転駆動して、記録が終了した用紙１を排紙口２０１から外部へ排紙する。
【００３３】
以上説明したように、記録媒体の両側端部は、垂れ下がった後はその状態が維持されて搬送されることになるので、従来技術で述べたように両側端部に対応するディンプル（吸引室）の外側に形成されている仕切壁上に乗ることは無く、その両側端部に対応するディンプル内の穴（吸引孔）の吸引力によって跳ね上げられることも無くなるため、記録ヘッド２３１を記録媒体により近接させることができ、記録精度をさらに向上させることができる。
【００３４】
なお、上述した実施形態では、吸引室１２３を記録媒体の搬送方向に長い長方形状の凹みとして形成したが、従来のような格子状に形成しても同様の効果を得ることができる。また、吸引室１２３を設けずに吸引孔１２４のみ設けた吸引ユニットとしても同様の効果を得ることができる。また、上述した実施形態では、記録媒体を搬送する装置を備えた記録装置について説明したが、例えばインクジェット式プリンタを含む被噴射材を搬送する装置を備えた液体噴射装置についても適用可能であり同一の作用効果を奏する。
【図面の簡単な説明】
【図１】本発明の実施形態に係る記録媒体搬送装置を示す側面図である。
【図２】図１の吸引部を示す平面図及びＡ−Ａ線断面側面図である。
【図３】図１の逃げ部の例を示す断面図である。
【図４】本発明の記録媒体搬送装置を備えた記録装置としてのインクジェット式プリンタを示す斜視図である。
【図５】図４のインクジェット式プリンタの主要部を示す平面図である。
【図６】図４のインクジェット式プリンタの主要部を示す正面図である。
【図７】図４のインクジェット式プリンタの主要部を示す側面図である。
【符号の説明】
１  用紙、１００  記録媒体搬送装置、１１０  吸引ユニット、１２０  吸引部、１２１  減圧室、１２２  記録媒体搬送面、１２３  吸引室、１２４  吸引孔、１２５  仕切壁、１２６Ｒ、１２６Ｌ、１２７Ｒ、１２７Ｌ  逃げ部、１２８  インク吸収材、１２９  インク受け部、１３０  吸引力発生部、１３１  連通孔、１３２  ポンプ、１５０  記録媒体搬送手段、１５１  送りローラ、１５２  従動ローラ、１５３  排出ローラ、１５４  拍車ローラ、２００  インクジェット式プリンタ、２１０  プリンタ本体、２２０  ＡＳＦユニット、２２１  トレイ、２２２  給紙ローラ、２３０  記録部、２３１  記録ヘッド、２３２  インクカートリッジ、２３３  キャリッジ、２３４  ガイド軸、２３５  ＤＣモータ
【図１】
2004268416.tif 000003
【図２】
2004268416.tif 000004
【図３】
2004268416.tif 000005
【図４】
2004268416.tif 000006
【図５】
2004268416.tif 000007
【図６】
2004268416.tif 000008
【図７】
2004268416.tif 000009